(57)【要約】      （修正有）【課題】高い湿度維持効果を持ち、カッターナイフ等の多くの家庭に備えられた安価な工具によっても切断できるような木製床タイルを提供する。【解決手段】木製の板１の裏面に、木材の繊維方向に略垂直な方向のスリットを有し、スリットは、板の表面から１ｍｍ〜３ｍｍの位置にまで達する深さとする。２枚以上の上面長方形の板を可撓性シート４に固着して全体として略正方形の形状３としてもよい。２以上のスリットを平行に設けて、加工の際のサイズ調整の幅を広げる。【選択図】図３
0003174985.tif 000002
【実用新案登録請求の範囲】
【請求項１】
木製の板の裏面に、木材の繊維方向に略垂直な方向のスリットを有し、
前記スリットは、前記板の表面から１ｍｍ以上３ｍｍ以下の位置にまで達する深さであることを特徴とする、木製床タイル及び床板。
【請求項２】
前記板の裏面を可撓性シートに固着したものであることを特徴とする。請求項１に記載の木製床タイル及び床板。
【請求項３】
２枚以上の上面長方形の前記板の裏面を１枚の可撓性シートに固着して全体として略正方形の形状としたものであり、
前記板の木材の繊維方向は、該長方形の略長辺方向であることを特徴とする、請求項２に記載の木製床タイル。
【請求項４】
平行に設けられた２以上の前記スリットを有することを特徴とする、請求項１〜３のいずれか１項に記載の木製床タイル及び床板。
【請求項５】
隣り合う前記スリットの間隔が１０ｍｍ以上１５０ｍｍ以下であることを特徴とする、請求項４に記載の木製床タイル及び床板。
【請求項６】
平行に設けられた２以上の前記スリットを有し、前記長方形の短辺とその短辺に最も近い該スリット、及び隣り合う該スリット同士の間隔が前記長方形の短辺の長さに略等しいことを特徴とする、請求項３に記載の木製床タイル。
【請求項７】
前記スリットの幅が４ｍｍ以下であることを特徴とする、請求項１〜６のいずれか１項に記載の木製床タイル及び床板。
【考案の詳細な説明】
【技術分野】
【０００１】
本考案は、表面が木製の床タイル及び床板に関するものである。
【背景技術】
【０００２】
表面が木製の床タイル及び床板は、木の持つ質感に加えて、室内の湿度を維持することのできる木に特有の効果を有しており、フローリング等に広く用いられている。１００ｍｍ程度の幅の細長い長方形の床板や、長方形の板を組み合わせた正方形の床タイルが用いられている。
ところで、室内の湿度を維持するためには、木の表面積、特に木口面（木材の繊維方向に垂直な面）、の表面積を大きくすることが効果的である。木の表面のうち木口面の吸湿・放湿が特に大きいからである。
特許文献１には、反り及び伸縮に対応するために凹条溝（スリット）を形成した木製タイルが開示されている。特許文献１には湿度維持の目的が開示されていないものの、この木製タイルでは、木の表面積が大きなものとなっている。一方、木材の伸縮は繊維方向が小さいので、繊維方向に垂直にスリットを設けるよりも繊維方向に平行にスリットを設けるほうが、伸縮に対応するためには好ましい。これでは、湿度維持の効果が小さいこととなる。
以上のとおり、湿度維持の目的で木口面の表面積を大きくするためのスリットを設けた木製床タイルは知られていなかった。
【０００３】
床タイル及び床板は、施工の際、所望するサイズとするために切断される。例えば、室内に床タイルを敷き詰める際に室の長方形の辺の長さが床タイルの辺の長さの整数倍ではない場合に、小さな床タイルを作るために切断される。
かかる切断にあたり、床タイルの厚みだけの木材を、鋸等の工具を用いて切断することは手間がかかる。しかし、スリットを活用し、切断すべき厚みをスリットの分だけ減少させることが可能である。また、繊維方向に垂直な方向を切断することが多い。例えば、細長い長方形の床タイルの長さを調整する場合には、多くの床タイルが長方形の長辺に沿った繊維方向となっているので、繊維方向に垂直な方向を切断することとなる。
更に、スリットを十分に深くすれば、鋸等によらずにカッターナイフ等の多くの家庭に備えられた安価な工具によっても切断できるものとなる。
しかし、繊維方向に垂直な方向を、スリットを活用してカッターナイフ等の多くの家庭に備えられた安価な工具によっても切断できるようにした木製床タイルは知られていなかった。
【先行技術文献】
【特許文献】
【０００４】
【特許文献１】特開平１１−３３６００４号公報
【考案の概要】
【考案が解決しようとする課題】
【０００５】
解決しようとする問題点は、高い湿度維持効果を持ち、カッターナイフ等の多くの家庭に備えられた安価な工具によっても切断できるような木製床タイル及び床板を提供することである。
【課題を解決するための手段】
【０００６】
本考案の木製床タイル及び床板は、
木製の板の裏面に、木材の繊維方向に略垂直な方向のスリットを有し、
前記スリットは、前記板の表面から１ｍｍ以上３ｍｍ以下の位置にまで達する深さであることを特徴とする。
スリットによって木口面の表面積が大きくなり、湿度維持効果を得ることができる。ここで、木材の繊維方向に略垂直な方向にスリットが設けられていることで、木口面の表面積が大きくなり、高い湿度維持効果を得ることができる。
切断すべき厚みが１ｍｍ〜３ｍｍとなり、カッターナイフ等による切断が可能になる。これにより、個人が、熟練した施工業者によらずに、自力で、自宅の床の一部に木製床タイル及び床板を敷設することができるようになる。
ここで、「床タイル」と「床板」との明確な峻別が存在するものではない。床タイルは板状のものであり、サイズが定まった床板をタイルのように敷設できるからである。本明細書においては、木の板が１枚のものを「床板」と言い、２枚以上の木の板を合わせて用いるものを「床タイル」と言う。
【０００７】
本考案の木製床タイル及び床板は、
前記板の裏面を可撓性シートに固着したものであることを特徴とする。
敷設する下地との間のクッション性を得る等の目的で、板の裏面を可撓性シートに固着することは広く行われている。また、後述のように、１枚の可撓性シートを活用して床板から床タイルを生産することができる。
ここで「固着」とは、板とシートとが接合されて固定されていることを言う。接着剤で接着する、ビスで固定する等が固着に含まれる。
【０００８】
本考案の木製床タイルは、
２枚以上の上面長方形の前記板の裏面を１枚の可撓性シートに固着して全体として略正方形の形状としたものであり、
前記板の木材の繊維方向は、該長方形の略長辺方向であることを特徴とする。
一辺の長さが５００ｍｍ程度の正方形の床タイルは、広く用いられている。木製の場合には、１００ｍｍの幅の長方形の板を５枚合わせて（底面を可撓性シートに固着して）一辺の長さが５００ｍｍの正方形の床タイルを構成できる。木材の繊維方向は、長方形の板の長辺方向にほぼ一致しているものが多い。
かかる構成により、長方形の各板の間の可撓性シートをカッターナイフ等で切断することと、それと垂直な方向に１ｍｍ〜３ｍｍの厚みの板をカッターナイフ等で切断することとの両方が可能となり、床タイルを敷設した時の縦方向にも横方向にもカッターナイフ等での切断が可能となる。
【０００９】
本考案の木製床タイル及び床板は、
平行に設けられた２以上の前記スリットを有することを特徴とする。
スリットの数は、１に限定されない。２以上のスリットを有することにより、木口面の表面積を更に大きくして、湿度保持効果を更に高めることができる。
また、２以上のスリットを平行に有することにより、カッターナイフ等で切断して得ることのできるサイズが増え、各種サイズへの対応が可能になる。
【００１０】
本考案の木製床タイル及び床板は、
隣り合う前記スリットの間隔が１０ｍｍ以上１５０ｍｍ以下であることを特徴とする。
１０ｍｍ〜１５０ｍｍの単位でのサイズ調整を可能とする。
対応できるサイズを増やすためにはスリットの間隔が狭いことが望ましいが、タイルの強度を保つためにはスリットの間隔が広いほうが良い。出願人は、ゴム製の可撓性シートを用いて、スリットの間隔が１０ｍｍ（スリットの幅はおよそ３ｍｍ）で実用的な強度を得た。
【００１１】
本考案の木製床タイルは、
平行に設けられた２以上の前記スリットを有し、前記長方形の短辺とその短辺に最も近い該スリット、及び隣り合う該スリット同士の間隔が前記長方形の短辺の長さに略等しいことを特徴とする。
床タイルを敷設した時の縦方向と横方向とで、同じ単位でのサイズ調整を可能とする。正方形の床材タイルにおいては、隣接する床材タイルを９０度回転して敷設することも多い。かかる場合に、縦方向と横方向とで同じ単位でのサイズ調整が可能となる。
【００１２】
本考案の木製床タイル及び床板は、
前記スリットの幅が４ｍｍ以下であることを特徴とする。
スリットの幅は、床タイルの強度の点から、狭いことが望ましい。一方、スリットを形成するための加工を丸鋸で行うことが効率的であり、丸鋸の刃の厚み（通常は３ｍｍ程度）以上のスリットの幅となる。また、出願人の実験によれば、４ｍｍ幅のスリットでも十分な強度を得ることができる。
【考案の効果】
【００１３】
本考案の木製床タイル及び床板により、高い湿度維持効果を持ち、カッターナイフ等の多くの家庭に備えられた安価な工具によっても切断できるような木製床タイル及び床板を提供することができる。
【図面の簡単な説明】
【００１４】
【図１】図１は、木製床板の例を示す図である。（実施例１）
【図２】図２は、木製床板の裏面を示す図である。（実施例１）
【図３】図３は、木製床タイルの例を示す図である。（実施例２）
【図４】図４は、施工例を示す図である。（実施例２）
【図５】図５は、木製床タイルの製造方法の例を示す図である。（実施例３）
【考案を実施するための形態】
【００１５】
長方形の木製床板の実施例１、正方形の木製床タイルの実施例２及び正方形の木製床タイルの製造方法の実施例３を示す。
【実施例１】
【００１６】
図１は、木製床板の例を示す図である。長方形の木製床板１は、長辺方向が繊維方向であり、短辺方向にスリット２を有する。スリット２は、木材の繊維方向に垂直な方向となる。木製床板の幅ｗは１００ｍｍであり、スリットの間隔ｘも同じく１００ｍｍである。
図の右下にスリット部分を拡大して示す。スリットの幅ｓは３ｍｍである。木製床タイル１の厚みｈは１２ｍｍであり、表面からスリット２の先端までの距離（切断厚み）ｔは２ｍｍである。
なお、図において床板の長さ（長方形の長辺の長さ）は５００ｍｍであるが、床板としてはいかなる長さでもよい。例えば、１０００ｍｍの長さであってもよい。
【００１７】
図２は、木製床板の裏面を示す図である。スリット２は、長方形の木製床板１の短辺を貫通している。スリットに合わせてカッターナイフで切断することで、長方形の木製床板１を切断することができる。
【実施例２】
【００１８】
図３は、木製床タイルの例を示す図である。正方形の木製床タイル３は、実施例１に示した長方形の板を５枚、シート４に接着したものである。１辺が５００ｍｍの正方形の木製床タイルとなる。
スリットの部分においては、シート４があらかじめ切断されている。切断厚みだけの木材のみをカッターナイフで切断することで、シートを切断せずに、正方形の木製床タイル３を切断することを可能にするものである。
シート４は、本実施例においてはゴム製である。可撓性があるものであれば、ゴム以外の材質、例えばポリエチレン製であってもよい。
【００１９】
正方形の木製床タイル３は、切断厚みだけの木材を切断することで図の横方向に、シート４を切断することで図の縦方向に、切断される。１辺が５００ｍｍの正方形の木製床タイル３は、２５個の１辺が１００ｍｍの正方形の単位に分割して切断できるものである。
図４は、施工例を示す図である。図の上方に２００ｍｍ幅に施工される部分がある。正方形の木製床タイル３は縦方向にも横方向にも２００ｍｍ幅に切断できるので、図のように隣接する木製床タイルの向きが９０度異なるように施工する場合にも、問題ない。図において、正方形の木製床タイル３ｂは、正方形の木製床タイル３ａ及び３ｃと向きが異なるが、３つの正方形の木製床タイル３ａ、３ｂ及び３ｃを同じ２００ｍｍ幅に切断することができる。
【００２０】
実施例１及び本実施例において、長方形の短辺の長さに合わせてスリットの間隔を一様に１００ｍｍとしているが、必ずしもこのようにしなくてもよい。例えば、これらの実施例で示したスリットに、木製床タイル又は床板の端から５０ｍｍの箇所に１つのスリットを加えることで、１００ｍｍ間隔に加えて５０ｍｍ、１５０ｍｍ、２５０ｍｍ、３５０ｍｍ及び４５０ｍｍのサイズに切断することができるようになる。
また、１００ｍｍよりも狭い間隔、例えば２０ｍｍの間隔で一様にスリットを設けてもよい。
その他、切断したいサイズに対応して任意の間隔でスリットを設けることができる。ただし、スリット部分は強度が弱くなるので、必要な強度を保てる程度に、スリットの数（又は密度）を設計することが好ましい。
【実施例３】
【００２１】
図５は、木製床タイルの製造方法の例を示す図である。４つの丸鋸５が１００ｍｍ間隔でシャフト６に接合されている。シャフト６が図示しないモーターによって回転され、丸鋸５による切断ができる。
丸鋸５の刃幅は３ｍｍである。また、丸鋸５の刃先は作業台７よりも２ｍｍだけ上になるように設置されている。
スリットを作成する前の正方形の木製床タイル３を、図のように丸鋸５がスリット位置に当接するように裏面を上にして置き、ガイド７に沿って移動させる。これにより、丸鋸５によってスリットが形成される。
なお、裏面を上にして置くので、シート４が上になり、図に横線で示した板の境界は実際には見えない。図は、木製床タイル３が置かれる方向を示すために、シート４を省略して描いたものである。
【産業上の利用可能性】
【００２２】
高い湿度維持効果を持ち、カッターナイフ等の多くの家庭に備えられた安価な工具によっても切断できるような木製床タイル及び床板であり、多くの施工業者及び個人による活用が考えられる。
【符号の説明】
【００２３】
１    長方形の木製床板
２    スリット
３    正方形の木製床タイル
４    シート
５    丸鋸
６    シャフト
７    作業台
８    ガイド
【図１】
0003174985.tif 000003
【図２】
0003174985.tif 000004
【図３】
0003174985.tif 000005
【図４】
0003174985.tif 000006
【図５】
0003174985.tif 000007
【手続補正書】
【提出日】平成24年2月9日(2012.2.9)
【手続補正１】
【補正対象書類名】実用新案登録請求の範囲
【補正対象項目名】全文
【補正方法】変更
【補正の内容】
【実用新案登録請求の範囲】
【請求項１】
木製の板の裏面に、木材の繊維方向に略垂直な方向のスリットを有し、
前記スリットは、前記板の表面から１ｍｍ以上３ｍｍ以下の位置にまで達する深さであることを特徴とする、木製床タイル。
【請求項２】
前記板の裏面を可撓性シートに固着したものであることを特徴とする、請求項１に記載の木製床タイル。
【請求項３】
２枚以上の上面長方形の前記板の裏面を１枚の可撓性シートに固着して全体として略正方形の形状としたものであり、
前記板の木材の繊維方向は、該長方形の略長辺方向であることを特徴とする、請求項２に記載の木製床タイル。
【請求項４】
平行に設けられた２以上の前記スリットを有することを特徴とする、請求項１〜３のいずれか１項に記載の木製床タイル。
【請求項５】
隣り合う前記スリットの間隔が１０ｍｍ以上１５０ｍｍ以下であることを特徴とする、請求項４に記載の木製床タイル。
【請求項６】
平行に設けられた２以上の前記スリットを有し、前記長方形の短辺とその短辺に最も近い該スリット、及び隣り合う該スリット同士の間隔が前記長方形の短辺の長さに略等しいことを特徴とする、請求項３に記載の木製床タイル。
【請求項７】
前記スリットの幅が４ｍｍ以下であることを特徴とする、請求項１〜６のいずれか１項に記載の木製床タイル。
【請求項８】
木製の板の裏面に、木材の繊維方向に略垂直な方向のスリットを有し、
前記スリットは、前記板の表面から１ｍｍ以上３ｍｍ以下の位置にまで達する深さであることを特徴とする、木製床板。
【請求項９】
前記板の裏面を可撓性シートに固着したものであることを特徴とする、請求項８に記載の木製床板。
【請求項１０】
平行に設けられた２以上の前記スリットを有することを特徴とする、請求項８又は９に記載の木製床板。
【請求項１１】
隣り合う前記スリットの間隔が１０ｍｍ以上１５０ｍｍ以下であることを特徴とする、請求項１０に記載の木製床板。
【請求項１２】
前記スリットの幅が４ｍｍ以下であることを特徴とする、請求項８〜１１のいずれか１項に記載の木製床板。